(57)【要約】      （修正有）【課題】樹脂製かつ折りたたみ可能なファイルボックスにおいて、シートの厚みを薄くしつつファイルボックスとしての安定性を確保することを、著しい白化を招くことなく、また材料の取り回しや加工をしやすくしつつ実現する。【解決手段】扁平に折畳可能な樹脂製のファイルボックスＦにおいて、収納空間を囲繞する周壁である側壁１３、１４の全部又は一部を、内板１３１、１４１の外面に化粧板１３２、１４２を貼り付けてなる二重構造のものにする。【選択図】図７
2020116769.tif 000002
【特許請求の範囲】
【請求項１】
扁平に折畳可能な樹脂製のファイルボックスにおいて、
収納空間を囲繞する周壁の全部又は一部を、内板の外面又は外板の内面に化粧板を張り付けてなる二重構造のものにしたことを特徴とするファイルボックス。
【請求項２】
前記化粧板の厚さ寸法が、前記内板の厚さ寸法よりも大きく設定されている請求項１記載のファイルボックス。
【請求項３】
前記化粧板の下端部又は後端部が、底壁又は後の端壁に優先して接地面に接地し得るように突出させてある請求項１又は２記載のファイルボックス。
【請求項４】
内板の外面に化粧板を張り付けた二重構造をなす前記周壁が、左右の側壁である請求項１、２又は３記載のファイルボックス。
【請求項５】
前記側壁の内板のみが端壁に接続されている請求項４記載のファイルボックス。
【発明の詳細な説明】
【技術分野】
【０００１】
本発明は、扁平に折りたたみ可能なファイルボックスに関する。
【背景技術】
【０００２】
従来より、流通段階等において嵩張らないようにすべく折りたたみ可能にしているファイルボックスが知られている。このようなファイルボックスにおいて、板厚を薄くするとノックダウン性が高まる、換言すれば折りたたみ作業を容易に行うことができる一方、使用時においてファイルボックスが不安定なものとなるという背反が発生する。そこで、一枚の板紙を折り曲げて側板を二重構造とすることにより、板厚を薄くしつつファイルボックスとしての安定性を確保することが考えられている（例えば、特許文献１を参照）。
【０００３】
ところで、特許文献１記載のファイルボックスは紙製のものであるが、樹脂製のシートを折り曲げて形成するファイルボックスにおいて、側板の二重構造を折り曲げ操作により実現しようとすると、以下に述べるような不具合が生じる。すなわち、樹脂製シートを折り返して二重構造を実現しようとすると折り返し箇所が白化するという問題が生じるとともに、一枚の樹脂製シートのみを折り曲げることによりこのようなファイルボックスを形成しようとすると、ファイルボックスを形成するためのシートが大きくなるので、取り回しや加工がしにくくなるという問題も生じる。
【先行技術文献】
【特許文献】
【０００４】
【特許文献１】実開昭５８−１９０１７０号公報
【発明の概要】
【発明が解決しようとする課題】
【０００５】
本発明は、樹脂製かつ折りたたみ可能なファイルボックスにおいて、シートの厚みを薄くしつつファイルボックスとしての安定性を確保することを、著しい白化を招くことなく、また材料の取り回しや加工をしやすくしつつ実現することを目的とする。
【課題を解決するための手段】
【０００６】
請求項１記載の発明に係るファイルボックスは、扁平に折畳可能な樹脂製のファイルボックスにおいて、収納空間を囲繞する周壁の全部又は一部を、内板の外面又は外板の内面に化粧板を張り付けてなる二重構造のものにしたことを特徴とするものである。
【０００７】
請求項２記載の発明に係るファイルボックスは、請求項１記載のものにおいて、前記化粧板の厚さ寸法が、前記内板の厚さ寸法よりも大きく設定されているものである。
【０００８】
請求項３記載の発明に係るファイルボックスは、請求項１又は２記載のものにおいて、前記化粧板の下端部又は後端部が、底壁又は後の端壁に優先して接地面に接地し得るように突出させてあるものである。
【０００９】
請求項４記載の発明に係るファイルボックスは、請求項１、２又は３記載のものにおいて、内板の外面に化粧板を張り付けた二重構造をなす前記周壁が、左右の側壁であるものである。
【００１０】
請求項５記載の発明に係るファイルボックスは、請求項４記載のものにおいて、前記側壁の内板のみが端壁に接続されているものである。
【発明の効果】
【００１１】
本発明によれば、樹脂製かつ折りたたみ可能なファイルボックスにおいて、シートの厚みを薄くしつつファイルボックスとしての安定性を確保することを、著しい白化を招くことなく、また材料の取り回しや加工をしやすくしつつ実現することができる。
【図面の簡単な説明】
【００１２】
【図１】本発明の一実施形態に係るファイルボックスを示す斜視図。
【図２】同実施形態に係るファイルボックスを示す正面図及び背面図。
【図３】同実施形態に係るファイルボックスを示す平面図及び底面図。
【図４】同実施形態に係るファイルボックスを示す右側面図。
【図５】同実施形態に係るファイルボックスを扁平に折り畳んだ状態を示す右側面図。
【図６】同実施形態に係るファイルボックスを扁平に折り畳んだ状態を示す左側面図。
【図７】図２におけるＸ−Ｘ線に沿った平断面を示す拡大図。
【図８】同実施形態に係るファイルボックスを折り畳む途中を示す部分平断面図。
【図９】同実施形態に係るファイルボックスを折り畳んだ状態を示す部分平断面図。
【図１０】図７におけるＡ部を拡大して示す拡大図。
【図１１】図９におけるＢ部を拡大して示す拡大図。
【図１２】同実施形態に係るボックス本体及び仕切り２を示す分解斜視図。
【図１３】同実施形態に係る左の側壁を構成する内板を外面側から見た展開図。
【図１４】同実施形態に係る右の側壁を構成する内板を外面側から見た展開図。
【図１５】同実施形態に係る化粧板を示す側面図。
【図１６】同実施形態に係る底壁の組み立て操作の手順を示す説明図。
【図１７】同実施形態に係る底壁の組み立て操作の手順を示す説明図。
【図１８】同実施形態に係る底壁の組み立て操作の手順を示す説明図。
【図１９】同実施形態に係る底壁の組み立て操作の手順を示す説明図。
【図２０】同実施形態に係る仕切りを外面側から見た展開図。
【図２１】同実施形態に係る取っ手を示す側面図。
【図２２】図２１におけるＹ−Ｙ線に沿った断面を示す拡大図。
【図２３】本発明の他の実施形態に係るファイルボックスを示す図。
【発明を実施するための形態】
【００１３】
以下、本発明の一実施形態を、図１〜図２２を参照しつつ述べる。
【００１４】
本実施形態のファイルボックスＦは、底壁１５を構成する底面フラップ１５１〜１５３を有したボックス本体１と、このボックス本体１の内側に固定され底面フラップ１５１〜１５３を内側へ折り曲げることを阻害する本体固定部材たる仕切り２と、対をなす底面フラップ１５１、１５２同士を内側に折り曲げることなく係合させるフラップ係合手段Ｋとを具備してなる。換言すれば、このファイルボックスＦは、ボックス本体１と、このボックス本体１内を区画する仕切り２と、この仕切り２の両端をボックス本体１に固定する固定部３とを備えてなり、固定部３と仕切り２との相対角度を変化させつつボックス本体１を扁平に折り畳むことができるようにしたものである。
【００１５】
ここで、図１は、この実施形態に係るファイルボックスＦを示す斜視図、図２（ａ）は、同正面図、図２（ｂ）は、同背面図、図３（ａ）は、同平面図、図３（ｂ）は、同底面図、図４は、右側面図である。そして、図５は、ファイルボックスＦを扁平に折り畳んだ状態を示す右側面図、図６は同左側面図である。なお、この明細書においては、説明の便宜上図２（ａ）の正面図を基準にして「上」「下」「左」「右」という文言を使用しており、同正面図における手前を「前」、奥を「後」と称している。
【００１６】
詳述すれば、このファイルボックスＦは、対をなして対向する第一の周壁たる端壁１１、１２及び対をなして対向する第二の周壁たる側壁１３、１４を有するボックス本体１と、このボックス本体１内を左右に二等分するように区画する仕切り２と、この仕切り２の前後両端を端壁１１、１２にそれぞれ固定する固定部３１、３２とを備えてなり、ボックス本体１を左右の側壁１３、１４が仕切り２に当接又は近接するまで折り畳むことができるようになっている。図７は、ボックス本体１の使用姿勢（Ｕ）を示すＸ−Ｘ線に沿った平断面図であり、図８は、折り畳んでいる途中を示す部分平断面図であり、図９は扁平に折り畳んだ状態を示す部分平断面図である。そして、図１０は、図７におけるＡ部を拡大して示す拡大図、図１１は、図９におけるＢ部を拡大して示す拡大図である。
【００１７】
ボックス本体１は、左右の側壁１３、１４と、前後の端壁１１、１２と、底壁１５とを備えた箱形のもので、上面が開放されている。前の端壁１１は後の端壁１２よりも背が低く、側壁１３、１４の上縁は前方に向かって漸次低くなるように傾斜している。図１２は、ボックス本体１を後述する仕切り２とともに分解して示す斜視図である。
【００１８】
左右の側壁１３、１４は、図７〜図９、図１１及び図１２に示すように、それぞれ内板１３１、１４１の外面に化粧板１３２、１４２を張り付けた二重構造をなす周壁であり、化粧板１３２、１４２の厚さ寸法ｔ２（例えば、１．２ｍｍ）は、内板１３１、１４１の厚さ寸法ｔ１（例えば、０．７ｍｍ）よりも大きく設定されている。内板１３１、１４１及び化粧板１３２、１４２は、ポリプロピレン等の合成樹脂により作られたもので、化粧板１３２、１４２は溶着あるいは接着等により内板１３１、１４１の外面に張り付けられている。
【００１９】
前の端壁１１は、例えば、左の内板１３１の前縁から右方向に延出させた前外板１１１を主体に構成されたもので、前外板１１１の内面における左半部には、後述する仕切り２の前端に設けられた固定部３１が溶着等により張り付けられている。また、前外板１１１の内面における右半部には、右の内板１４１の前縁から左方向に延出させた前内板１１２が溶着等により張り付けられている。
【００２０】
後の端壁１２は、例えば、右の内板１４１の後縁から左方向に延出させた後外板１２１を主体に構成されたもので、後外板１２１の内面における右半部には、後述する仕切り２の後端に設けられた固定部３２が溶着等により張り付けられている。また、後外板１２１の内面における左半部には、左の内板１３１の後縁から右方向に延出させた後内板１２２が溶着等により張り付けられている。
【００２１】
すなわち、端壁１１、１２には側壁１３、１４の内板１３１、１４１のみが接続されており、化粧板１３２、１４２は端壁１１、１２及び底壁１５と独立である。
【００２２】
図１３は、左の側壁１３を構成する内板１３１を外面側から見た展開図であり、この内板１３１の前端（図中右端）には山折り線Ｌ１を介して前の端壁１１を構成する前外板１１１が一体に連続させてあるとともに、内板１３１の後端には山折り線Ｌ２を介して後の端壁１２を構成する後内板１２２が一体に連続させてある。そして、内板１３１の下端には、山折り線Ｌ３を介して底壁１５を構成する一方の底面フラップ１５１が一体に連続させてある。Ｌ１１は、前外板１１１と後述する底面フラップ１５３との境界を形成する山折り線である。
【００２３】
図１４は、右の側壁１４を構成する内板１４１を外面側から見た展開図であり、この内板１４１の後端（図中右端）には山折り線Ｌ４を介して後の端壁１２を構成する後外板１２１が一体に連続させてあるとともに、内板１３１の後端には山折り線Ｌ５を介して前の端壁１１を構成する前内板１１２が一体に連続させてある。そして、内板１４１の下端には、山折り線Ｌ６を介して底壁１５を構成する他方の底面フラップ１５２が一体に連続させてある。Ｌ１２は、後外板１１１と後述する底面フラップ１５３との境界を形成する山折り線である。
【００２４】
図１５は、前述した左の側壁１３を構成する内板１３１の外面に張り付けられる化粧板１３２を示す左側面図であり、この実施形態では、内板１３１よりも一回り小さく形成されている。右の化粧板１４２は左の化粧板１３２に準じたもので、右の側壁１４を構成する内板１４１の外面に張り付けられている。
【００２５】
底壁１５は、左右の側壁１３、１４の下縁に連続する対をなす底面フラップ１５１、１５２と、前後の端壁１１、１２の下縁に連続するそれ以外の底面フラップ１５３とを備えたもので、これらの底面フラップ１５１〜１５３に関連させてフラップ係合手段Ｋを備えている。フラップ係合手段Ｋは、左の側壁１３に連続する一方の底面フラップ１５１に設けられたスリット１５１ａと、右の側壁１４に連続する他方の底面フラップ１５２に設けられ前述のスリット１５１ａに差し込まれる差込み部１５２ａとを備えたものである。そして、差込み部１５２ａの突出寸法ｄは、その突出端１５２ｂを仕切り２に係止されている一方の底面フラップ１５１のスリット１５１ａに部材の弾性変形を利用して到達させ得る値に設定されている。また、これら一対の底面フラップ１５１、１５２以外の底面フラップ１５３には凸部１５３ａをそれぞれ設け、それらの凸部１５３ａをスリット１５１ａに差し込んでいる。これらの凸部１５３ａは、差込み部１５２ａに先んじてスリット１５１ａに挿入されるものであり、当該凸部１５３ａは、差込み部１５２ａの前記スリット１５１ａへの差し込み動作を案内する案内面である平滑面１５３ｂを備えたものである。
【００２６】
折り畳み状態における底壁１５は、図５及び図６に示すように、各底面フラップ１５１，１５２、１５３同士の係合が解かれ、対をなす底面フラップ１５１、１５２が側壁１２、１３と略面一に連続するように外方に展開されるとともに、他の底面フラップ１５３が前後の端壁１１、１２に略面一に連続するように展開されている。この状態から図１６〜図１９の操作を行うことによって、底壁１５を組み立てることができる。まず、扁平に折り畳まれているボックス本体１を使用姿勢（Ｕ）に準じた筒形にした上で、図１６に示すように、後述する仕切り２の下端鍔部２４、２５を水平に折り曲げてボックス本体１の下面開口部分を覆う状態とする。その上で、図１７に示すように、スリット１５１ａを有する一方の底面フラップ１５１を仕切り２の下端鍔部２４、２５の外面に被せ、しかる後に、図１８に示すように、他の底面フラップ１５３に設けられた凸部１５３ａをその底面フラップ１５１のスリット１５１ａに係合させる。これによって、底壁１５を構成するための３枚の底面フラップ１５１、１５３が相互に仮止めされ、曲げ癖によってボックス本体１が元の折り畳み姿勢（Ｓ）方向に戻ろうとするのを抑止することができる。この状態から、図１９に示すように、他方の底面フラップ１５２を厚み方向に弾性的に湾曲させながら差込み部１５２ａの先端を一方の底面フラップ１５１のスリット１５１ａに到達させ、その湾曲形状を平面形状に戻しつつその差込み部１５２ａをスリット１５１ａ内に深く挿入することにより底壁１５の組立てが完了する。すなわち、このファイルボックスＦにおいては、差込み部１５２ａの突出寸法ｄを従来のものに比べて小さく設定し、他方の底面フラップ１５２の弾性変形を利用してその差込み部１５２ａを一方の底面フラップ１５１のスリット１５１ａに係合させることができるようにしている。そのため、一方の底面フラップ１５１をボックス本体１の内部に一旦折り込むような動作を行うことなく、底壁１５を組み立てることができるようになっている。
【００２７】
仕切り２は、対をなす対面板２１、２２を備え、これら対面板２１、２２の上縁同士を接続部２３により接続した二重構造のものであり、その前後両端に固定部３１、３２がそれぞれ設けられている。この仕切り２の一端（前端）をボックス本体１に固定する一方の固定部３１は、当該仕切り２の一面（左側面）側に突出して第一の周壁である前の端壁１１に固定されたものであり、仕切り２の他端（後端）をボックス本体１に固定する他方の固定部３２は、当該仕切り２の他面（右側面）側に突出して第一の周壁である後の端壁１２に固定されたものである。これらの固定部３１、３２は、仕切り２の各対面板２１、２２に折り曲げ線Ｌ７、Ｌ８を介してそれぞれ一体に接続されている。そして、ボックス本体１を折り畳んだ状態で相互に近くなるもの同士の対面板２１、２２と固定部３１、３２とがそれぞれ接続されている。具体的には、図７〜図９及び図２０に示すように、この実施形態においては、左の対面板２１の後端に後の固定部３２が一体に接続されているとともに、右の対面板２２の前端に前の固定部３１が接続されている。そして、前の固定部３１が前の端壁１１の前外板１１１の左半部に溶着等により止着されているとともに、後の固定部３２が後の端壁１２の後外板１２１の右半部に溶着等により止着されている。そして、左右の対面板２１、２２の各下端には、折り曲げ線Ｌ９、Ｌ１０を介して下端鍔部２４、２５がそれぞれ一体に接続されている。なお、右の対面板２２の後縁には突起２６が突設されているとともに、左の対面壁２１の後縁に接続された後の固定部３２の基端近傍部にはスリット２７が形成されており、後の固定部３２が対面板２１、２２に対して直角となる使用姿勢（Ｕ）においては、図１０に示すように、突起２６がスリット２７に嵌合するようになっている。Ｌ１３は、対面板２１、２２と接続部２３との境界を形成する折り曲げ線である。なお、図１〜図３、図５、図７〜図１２及び図２０においては、以上説明した仕切り２の下端鍔部２４、２５以外の部分にパターンを施して当該仕切り２の存在が目立つようにしてある。
【００２８】
しかして、ボックス本体１を折り畳む前の使用姿勢（Ｕ）においては、図３、図７及び図１２に示すように、仕切り２と両固定部３１、３２とが全体としてＳ字状に配されている。そして、ボックス本体１は、仕切り２と両固定部３１、３２とが全体としてＳ字状から一直線状となる方向に、換言すれば仕切り２と両固定部３１、３２とが正面視Ｓ字状をなす使用姿勢（Ｕ）から略一直線状に展開される展開姿勢たる折り畳み姿勢（Ｓ）まで変形する方向に折り畳み可能である。図９及び図１１は、ボックス本体１を折り畳むことにより仕切り２と両固定部３１、３２とが略一直線状になった状態を示している。なお、接続部２３には、その長手方向中間部に取っ手４が通過可能なスリット状をなす把手挿通部分２３ａが形成されている。図１１においては、端壁１２を構成する外板１２１及び内板１２２の厚みを誇張して示しているため、仕切り２の対面板２１と固定部３２との間に比較的大きな段差が存在するように見えるが、実際には外板１２１及び内板１２２は薄いものであるため、これら対面板２１と固定部３２とは折り畳み姿勢（Ｓ）では略一直線状をなしている。
【００２９】
取っ手４は、仕切り２に対して、その上縁が後の端壁１２の上縁とほぼ同じ高さ位置又は低い位置となる没入位置（Ｐ）と、その上縁が後の端壁１２の上縁よりも上方となる引き出し位置（Ｑ）との間で突没動作可能に設けられたものである。図４における実線はこの取っ手４を没入位置（Ｐ）に収納させた状態を示しており、図４における想像線はこの取っ手４を引き出し位置（Ｑ）に引き出した状態を示している。没入位置（Ｐ）においては、取っ手４の上縁が後の端壁１２の上縁とほぼ同じ高さ位置又は低い位置となるが、この取っ手４の把持部４ａはこの没入位置（Ｐ）においても露出するように構成されている。把持部４ａは、図４、図５及び図２２に示すように、前後に伸びる長円形の貫通孔により構成されており、その貫通孔の前後両縁及び上縁には、肉厚部分４ａ１、４ａ２が形成されている。前後両縁の肉厚部分４ａ１は、上端側が上縁の肉厚部分４ａ２と同じ厚みを有し、下方に向かって漸次厚みが減少するような形状をなしている。
【００３０】
このような構成のものであれば、収納空間を囲繞する周壁の全部又は一部、すなわちこの実施形態の場合は左右の側壁１３、１４を、内板１３１、１４１の外面に化粧板１３２、１４２を貼り付けてなる二重構造のものにしているので、このような樹脂製のファイルボックスＦにおいて、内板１３１、１４１を構成するシートの厚みを薄くしつつ使用時の安定性を確保することを、著しい白化を招くことなく、また材料の取り回しや加工をしやすくしつつ実現することができる。すなわち、内板１３１、１４１を構成するシートの厚みを薄くすることにより、ノックダウン作業時（折り畳み作業時）に折り曲げる箇所である折り曲げ線Ｌ１〜Ｌ６、Ｌ１１、Ｌ１２が形成された箇所も薄くできるので、ノックダウン作業（折り畳み作業）を容易に行うことができる。さらに、一枚の樹脂製シートを折り返して二重構造を実現した場合には側壁の厚みは樹脂製シートの２倍にしかならないのに対し、このような構成であれば内板１３１、１４１と化粧板１３２、１４２とを別個の材料により構成しているので、側壁１３、１４全体の厚さ寸法を自由に設定することができる。
【００３１】
この実施形態のように、化粧板１３２、１４２の厚さ寸法ｔ２が、内板１３１、１４１の厚さ寸法ｔ１よりも大きく設定すれば、側壁１３、１４全体の厚さ寸法を確保しつつ、内板１３１、１４１を含むシート状の材料の厚さ寸法を小さくして折りたたみ作業を容易に行うようにすることができる。
【００３２】
さらに、内板１３１、１４１の外面に化粧板１３２、１４２を張り付けた二重構造をなす周壁が左右の側壁１３、１４であるので、少ない部品点数でより大きな面積の部分に強度を付与することができる。
【００３３】
加えて、厚さ寸法ｔ１が小さな側壁１３、１４の内板１３１、１４１のみが端壁１１、１２に接続されており、化粧板１３２、１４２は端壁１１、１２と独立であるので、側壁１３、１４全体としての強度は確保しつつ、折りたたみ作業を容易に行うことができる。
【００３４】
そして、前の端壁１１の前外板１１１の内面における一半部（右半部）に一方の内板（右の内板１４１）の前縁から延出させた前内板１１２が溶着等により張り付けられているとともに、後の端壁１２の後外板１２１の内面における一半部（左半部）に他方の内板（左の内板１３１）の前縁から延出させた前内板１１２が溶着等により張り付けられ、前外板１１１及び後外板１２１の内面における他半部には仕切り２の前後両端にそれぞれ設けられた固定部３１、３２が溶着等により張り付けられているので、前、後の端壁１１、１２も二重構造を有することになり、仕切り２を有するこのようなファイルボックスＦのこれら前、後の端壁１１、１２にも効果的に強度を付与することができる。
【００３５】
なお、本発明は以上に述べた実施形態に限らない。
【００３６】
例えば、上述した実施形態では化粧板の厚さ寸法を１．２ｍｍとしており、内板の厚さ寸法を０．７ｍｍとしているが、化粧板及び内板の厚さ寸法は任意に設定してよい。
【００３７】
また、上述した実施形態では化粧板を内板よりも一回り小さなものとしているが、化粧板の寸法を内板と等しく設定してもよい。
【００３８】
さらに、図２３に示す実施形態のボックスファイルＦ２のように、左右の側壁１３、１４の化粧板１３２、１４２の下端部を、底壁１５に優先して接地面Ｇに接地し得るように突出させるようにしてもよい。この実施形態においても、側壁１３、１４の内板１３１のみが端壁１１、１２に接続されており、化粧板１３２、１４２は端壁１１、１２及び底壁１５とは独立している。なお、図２３に示す実施形態において、その他の箇所は上述した実施形態におけるものと同様の構成を有しており、対応する各部位には、同一の符号を付している。
【００３９】
また、左右の側壁の化粧板の後端部を後の端壁よりも後方に突出させてもよい。このようなものであれば、後の端壁を底面とした姿勢でファイルボックスを立てて使用する際に、化粧板の後端が後の端壁に優先して接地面に接地することとなる。
【００４０】
加えて、左右の側壁のみならず、前後の端壁をも内板の外面に化粧板を張り付けた二重構造をなす周壁としてもよく、前後の端壁のみを内板の外面に化粧板を張り付けた二重構造をなす周壁とする態様を採用してもよい。なお、左右の側壁及び前後の端壁の全てを二重構造とした場合、内板のみを相互に接続し、化粧板はそれぞれ独立のものとすると、強度を確保しつつ、内板及び化粧板をそれぞれ互いに接続する態様のものと比較して折りたたみ作業を容易に行うことができる。
【００４１】
そして、上述した実施形態では、収納空間を囲繞する周壁の全部又は一部を、内板の外面に化粧板を張り付けてなる二重構造としたものについて説明しているが、収納空間を囲繞する周壁の全部又は一部を、外板の内面に化粧板を張り付けてなる二重構造とする構成を採用してもよい。一例として、収納空間を囲繞する周壁である側壁が、上述した実施形態における内板と同様の構成を有する外板と、その外板の内面に張り付けられた化粧板とからなる二重構造を有するものが挙げられる。
【００４２】
その他、本発明の趣旨を損ねない範囲で種々に変形してよい。
【符号の説明】
【００４３】
Ｆ…ファイルボックス
１３、１４…周壁
１３１、１３２…内板
１３２、１４２…化粧板
１５…底壁
ｔ１…内板の厚さ寸法
ｔ２…化粧板の厚さ寸法
Ｇ…接地面
【図１】
2020116769.tif 000003
【図２】
2020116769.tif 000004
【図３】
2020116769.tif 000005
【図４】
2020116769.tif 000006
【図５】
2020116769.tif 000007
【図６】
2020116769.tif 000008
【図７】
2020116769.tif 000009
【図８】
2020116769.tif 000010
【図９】
2020116769.tif 000011
【図１０】
2020116769.tif 000012
【図１１】
2020116769.tif 000013
【図１２】
2020116769.tif 000014
【図１３】
2020116769.tif 000015
【図１４】
2020116769.tif 000016
【図１５】
2020116769.tif 000017
【図１６】
2020116769.tif 000018
【図１７】
2020116769.tif 000019
【図１８】
2020116769.tif 000020
【図１９】
2020116769.tif 000021
【図２０】
2020116769.tif 000022
【図２１】
2020116769.tif 000023
【図２２】
2020116769.tif 000024
【図２３】
2020116769.tif 000025